(57)【要約】【課題】  背負い鞄の背環、すなわち肩ベルト上端取付具自体に工夫を凝らすのではなく、この肩ベルト上端取付具を被い隠すことによって、肩ベルト上端取付具に使用者の長い髪の毛が垂れかからないようにして、その長い髪の毛が肩ベルト上端取付具に引っ掛かったり、絡んだり、挟まったりしないようにした背負い鞄の上部カバーを提供する。【解決手段】  背負い鞄の背当て部４の上部に取り付けられた上端取付具８の一対の肩ベルト３との連結部付近と、背負い鞄の上面部７の背当て部４上端との連結部付近との間を被うカバー体１２としている。【選択図】    図１
2007222446.tif 000002
【特許請求の範囲】
【請求項１】
背当て部（４）の上部に取り付けられた上端取付具（８）の一対の肩ベルト（３）との連結部付近と、上面部（７）の背当て部（４）上端との連結部付近との間を被うカバー体（１２）としたことを特徴とする背負い鞄の上部カバー。
【請求項２】
前記カバー体（１２）に肩ベルト（３）への取付け手段（１３）を設けたことを特徴とする請求項１記載の背負い鞄の上部カバー。
【請求項３】
前記取付け手段（１３）を、カバー体（１２）の両短辺（１２ａ）の一部に折返し体（１４）を連設し、この折返し体（１４）の両端どうしを弾性体（１５）で連結したものとしたことを特徴とする請求項２記載の背負い鞄の上部カバー。
【請求項４】
前記カバー体（１２）に上端取付具（８）への止め手段（１６）を設けたことを特徴とする請求項１または２記載の背負い鞄の上部カバー。
【請求項５】
前記止め手段（１６）を、カバー体（１２）の一長辺（１２ｂ）の略中央に折返し体（１７）を設け、この折返し体（１７）の裏面先端部に係着体（１８）の雌体または雄体の一方を取り付け、カバー体（１２）の対応する部分に係着体（１８）の雌体または雄体の他方を取り付けたものとしたことを特徴とする請求項４記載の背負い鞄の上部カバー。
【発明の詳細な説明】
【技術分野】
【０００１】
この発明は、ランドセル等の背負い鞄の背当て部の上部に取り付けられた肩ベルト上端取付具を被うようにした背負い鞄の上部カバーに関するものである。
【背景技術】
【０００２】
髪の毛の長い使用者が背負い鞄を背負うと、その背負い鞄の肩ベルト上端取付具に髪の毛が引っ掛かったり、絡んだり、挟まったりすることがある。
【０００３】
例えば、髪の毛の長い女子の生徒がランドセルを背負うと、そのランドセルの肩ベルト上端取付具に髪の毛が引っ掛かったり、絡んだり、挟まったりすることがある。すなわち、ランドセルの肩ベルト上端取付具は、背当て部の上部に取り付けられており、その女子の生徒がランドセルを背負うと、髪の毛が丁度、肩ベルト上端取付具の位置に垂れて、その取付具に引っ掛かったり、絡んだり、取付具に入り込んで挟まったりすることがある。そして、髪の毛の長い女子の生徒が、背負っているランドセルを下ろしたときに、取付具に引っ掛かったり、絡んだり、挟まったりしていた髪の毛がその勢いで抜けてしまい、痛い思いをするという不具合が生じていた。
【０００４】
そこで、従来は、背負い鞄の肩ベルト上端取付具自体に工夫を凝らし、その取付具に髪の毛が挟まらないようにしていた。このような肩ベルト上端取付具には、例えば図９、１０に示したようなものが存在する。
【０００５】
図９、１０に示した従来の肩ベルト上端取付具、ここでいう背環２１は、ランドセル本体２２の背当て部２３の上部に配置され、一対の肩ベルト２４の一端が装着されている。そして、この背環２１は、上部に一対の開口部２５を有し中空状に形成された背環本体２６と、背環本体２６の各開口部２５から各中空部２７に挿入して配置される一対の揺動板２８と、揺動板２８の上部に係止される三角状の連結環２９と、一対の中空部２７間に装着される吊下げ環３０とを備えている。さらに、背環２１は、揺動板２８を軸３１に支持するとともに、スプリング３２により中央壁３３に向かって付勢するように配置している。中央壁３３には、揺動板２８側に向かって突出部３４を形成し、揺動板２８の戻りストッパとして配置している（特許文献１）。
【０００６】
このように構成した従来のランドセルの背環は、背負っているランドセルを下ろしたときに、揺動板２８はスプリング３２の付勢力で中央壁３３側に揺動して突出部３４との間に隙間を形成することができるとしている。
【０００７】
したがって、この従来のランドセルの背環では、ランドセルを背負った子供の長い髪の毛が、背環に垂れかかっても、揺動板２８と中央壁３３との間に形成された隙間に入り込むこととなって、揺動板２８と中央壁３３との間に挟み込まれることなく、子供に痛い思いをさせることがないとしている。
【特許文献１】登録実用新案第３１０７２６８号公報（第４、５頁、図１、２）
【発明の開示】
【発明が解決しようとする課題】
【０００８】
上記従来のランドセルの背環では、揺動板２８と中央壁３３との間に形成された隙間に髪の毛が入り込むこととなって挟まれないとしているが、しかしこのような狭い隙間に髪の毛が入り込むと、髪の毛は挟まれなくても突出部３４など、何処かに引っ掛かったり、絡んだりすることも考えられ、背負っているランドセルを下ろしたときに、子供の髪の毛が抜けてしまい、痛い思いをさせるという不具合が一向に解決されないという問題点を有していた。
【０００９】
さらに、上記従来のランドセルの背環では、揺動板２８の上部に係止される三角状の連結環２９と、中空部２７間に装着される吊下げ環３０が、ランドセル本体２２の背当て部２３の上部に露出しているので、これら連結環２９や吊下げ環３０に垂れかかった髪の毛が引っ掛かったり、絡んだり、揺動板２８と連結環２９の間や中空部２７と吊下げ環３０の間に髪の毛が挟まれて、背負っているランドセルを下ろしたときに、子供の髪の毛が抜けてしまい、痛い思いをさせるという不具合が生ずるという問題点を有していた。
【００１０】
そこで、この発明は、上記従来の問題点を解消するものであり、背負い鞄の背環、すなわち肩ベルト上端取付具自体に工夫を凝らすのではなく、この肩ベルト上端取付具を被い隠すことによって、肩ベルト上端取付具に使用者の長い髪の毛が垂れかからないようにして、その長い髪の毛が肩ベルト上端取付具に引っ掛かったり、絡んだり、挟まったりしないようにした背負い鞄の上部カバーを提供することを目的としてなされたものである。
【課題を解決するための手段】
【００１１】
そのため、この発明の背負い鞄の上部カバーは、背当て部４の上部に取り付けられた上端取付具８の一対の肩ベルト３との連結部付近と、上面部７の背当て部４上端との連結部付近との間を被うカバー体１２としている。
【００１２】
そして、この発明の背負い鞄の上部カバーは、前記カバー体１２に肩ベルト３への取付け手段１３を設けたものとしている。
【００１３】
さらに、この発明の背負い鞄の上部カバーは、前記取付け手段１３を、カバー体１２の両短辺１２ａの一部に折返し体１４を連設し、この折返し体１４の両端どうしを弾性体１５で連結したものとしている。
【００１４】
また、この発明の背負い鞄の上部カバーは、前記カバー体１２に上端取付具８への止め手段１６を設けたものとしている。
【００１５】
さらに、この発明の背負い鞄の上部カバーは、前記止め手段１６を、カバー体１２の一長辺１２ｂの略中央に折返し体１７を設け、この折返し体１７の裏面先端部に係着体１８の雌体または雄体の一方を取り付け、カバー体１２の対応する部分に係着体１８の雌体または雄体の他方を取り付けたものとしている。
【発明の効果】
【００１６】
この発明の背負い鞄の上部カバーは、以上に述べたように構成されているので、肩ベルト上端取付具に使用者の長い髪の毛が垂れかからないようになり、その長い髪の毛が肩ベルト上端取付具に引っ掛かったり、絡んだり、挟まったりしなくなり、背負い鞄を下ろしたときに、使用者の髪の毛が抜けることなく、痛い思いをさせるということがないものとなる。
【発明を実施するための最良の形態】
【００１７】
以下、この発明の背負い鞄の上部カバーを実施するための最良の形態を、図面に基づいて詳細に説明する。
【００１８】
図１、２は、この発明の背負い鞄の上部カバーを装着した背負い鞄の一例としてランドセルを示したものである。このランドセルは、ランドセル本体１と、被せ蓋２と、肩ベルト３を備えたものとしている。
【００１９】
ランドセル本体１は、前面部（図示せず）と、背当て部４と、左右の大襠部５と、底部６とにより、上面開口の箱状に形成されている。
【００２０】
被せ蓋２は、その基端部をランドセル本体１の背当て部４の上端に縫着するなどして取り付けられており、自由端に係合板（図示せず）が取り付けられ、この係合板をランドセル本体１の底部６に設けた係合体（図示せず）に係脱自在に取り付けたものとしている。そして、この被せ蓋２によって、ランドセル本体１の上面開口と前面部とが被われるようにしている。なお、被せ蓋２は、背負い鞄をランドセル以外とした場合には、備えていないこともあり、その場合には、この被せ蓋２の代わりに、背負い鞄の上面部７が上襠部（図示せず）などとなる。
【００２１】
肩ベルト３は、左右一対のベルト本体３ａの上端を、それぞれランドセル本体１の背当て部４の上部に取り付けられた上端取付具８の左右一対の連結体９に、そのベルト本体３ａの取付部がランドセル本体１から上方に向いた状態になるようにして連結したものとしている。また、肩ベルト３は、左右一対のベルト本体３ａの上端を、前記連結体９に三角状の連結環（図示せず）を介して連結したものとしてもよい。さらに、肩ベルト３は、左右一対のベルト本体３ａの下端を、底部６に設けた下端取付具（図示せず）に回動自在に取り付けられたベルト接続体３ｂに連結したものとしている。また、前記肩ベルト３は、左右一対のベルト本体３ａの下端を、底部６に設けた取付具に直接、回動自在として連結したものとしてもよい。
【００２２】
上端取付具８は、前記連結体９と、この連結体９をそれぞれ内方向の弾力を付したものとして、左右方向に揺動自在として取り付けるようにした取付具本体１０と、連結体９に必要に応じて取り付けられる三角状の連結環（図示せず）と、取付具本体１０に取り付けられる吊下げ環１１とからなる。また、上端取付具８は、連結体９を備えたものとする必要はなく、取付具本体１０に連結環と吊下げ環１１とを取り付けたものとしてもよい。なお、連結体９は、左右方向に揺動自在として取付具本体１０に取り付けるようにしているが、揺動しないようにして取付具本体１０に取り付けてもよい。
【００２３】
そして、この発明の背負い鞄の上部カバーは、ランドセル等の背負い鞄の背当て部４の上部に取り付けられた上端取付具８の一対の肩ベルト３との連結部付近と、背負い鞄の上面部７の背当て部４上端との連結部付近との間を被うカバー体１２としている。なお、背負い鞄をランドセルとした場合には、前記カバー体１２は、ランドセルの背当て部４の上部に取り付けられた上端取付具８の一対の肩ベルト３との連結部付近と、ランドセルの被せ蓋２の背当て部４上端との連結部付近との間を被うものとしている。
【００２４】
カバー体１２は、図３、４に示したように、厚手の皮革地や布地などからなり、横長の略長方形状とし、適宜箇所に肩ベルト３への取付け手段１３を設けたものとしている。この取付け手段１３は、図示したものは、カバー体１２の両短辺１２ａの一部に折返し体１４を連設し、この折返し体１４の両端どうしをゴムバンドなどの伸縮自在とした弾性体１５で連結したものとし、折返し体１４が肩ベルト３を保持するようにして、カバー体１２を肩ベルト３に取り付けるものとしている。また、取付け手段１３は、図示していないが、前記折返し体１４の裏面にホックや面接着テープなどの係着体（図示せず）の雌体または雄体の一方を取り付け、肩ベルト３の対応する部分にこの係着体の雌体または雄体の他方を取り付け、これら係着体どうしを係着させることにより、カバー体１２を肩ベルト３に取り付けるものとしてもよい。なお、取付け手段１３は、前記カバー体１２に折返し体１４を連設したものとしなくても、カバー体１２の両短辺５ａ寄りの裏面に、ホックや面接着テープなどの係着体（図示せず）の雌体または雄体の一方を取り付け、肩ベルト３の対応する部分にこの係着体の雌体または雄体の他方を取り付けたものとしてもよい。
【００２５】
さらに、カバー体１２は、前記上端取付具８への止め手段１６を設けたものとしている。この止め手段１６は、前記カバー体１２の一長辺１２ｂの略中央に折返し体１７を設け、この折返し体１７の裏面先端部にホックや面接着テープなどの係着体１８の雌体または雄体の一方を取り付け、カバー体１２の対応する部分にこの係着体１８の雌体または雄体の他方を取り付けたものとしており、このようにした折返し体１７を上端取付具８に取り付けた吊下げ環１１に通して、前記係着体１８どうしを係着させることにより、カバー体１２を上端取付具８に止めるものとしている。
【００２６】
以上のように構成したこの発明の背負い鞄の上部カバーは、次のようにして背負い鞄に装着する。
【００２７】
先ず、図示したものでは、肩ベルト３のベルト本体３ａとベルト接続体３ｂの連結を外し、この発明の背負い鞄の上部カバーを、折返し体１７を設けていない長辺１２ｂを上にしてベルト本体３ａに通し、使用者が鞄を背負い易いように肩ベルト３の長さを調節して、ベルト本体３ａとベルト接続体３ｂとを再び連結する。すると、ベルト本体３ａに通されたこの発明の背負い鞄の上部カバーは、取付け手段１３の折返し体１４が弾性体１５の弾力で肩ベルト３を保持するようにして、この肩ベルト３に取り付けられる。なお、取付け手段１３が、前記したように折返し体１４の両端どうしを弾性体１５で連結したものでない場合には、肩ベルト３のベルト本体３ａとベルト接続体３ｂの連結を外さなくても、前記したような係着体どうしを係着させることにより、この発明の背負い鞄の上部カバーは、肩ベルト３に取り付けることができる。
【００２８】
次に、この発明の背負い鞄の上部カバーのカバー体１２の折返し体１７を設けていない長辺１２ｂを背負い鞄の上面部７の背当て部４上端との連結部付近に当て、カバー体１２の折返し体１７を設けた長辺１２ｂを背当て部４の上部に取り付けられた上端取付具８の一対の肩ベルト３との連結部付近に当て、図６に示したように、これら連結部付近どうしの間をカバー体１２で被う。
【００２９】
そして、図６に示した状態から、折返し体１７を弾性体１５に抱え込むようにしながら、この折返し体１７を吊下げ環１１に通して、折返し体１７の係着体１８とカバー体１２の係着体１８どうしを係着させる。すると、この発明の背負い鞄の上部カバーは、カバー体１２が吊下げ環１１に止められ、移動しないものとなる。
【００３０】
このようにして背負い鞄に装着されたこの発明の背負い鞄の上部カバーは、上端取付具８の連結体９が左右方向に揺動自在としたものであっても、使用者が背負いかばん背負う場合、その連結体９が左右方向に揺動するときに、その揺動にしたがって弾性体１５が伸縮するので、肩ベルト３からずれたり外れたりすることがない。
【００３１】
また、この発明の背負い鞄の上部カバーは、前記したように背負い鞄に装着することにより、肩ベルト３のベルト本体３ａの上端を、上端取付具８の三角状の連結環に連結したものであっても、そのベルト本体３ａの取付部が回動せずランドセル本体１から上方に向いた状態にしておくことができ、背負い鞄を背負った場合に、背負い鞄の重量により肩からずれず、背当て部４が使用者の背中に密着して、背負い鞄の重心が使用者の背中から離れず、背負い鞄が重く感じることがなく、しかも使用感が良いものとしておくことができる。
【００３２】
以上に述べたように、この発明の背負い鞄の上部カバーは、カバー体１２によって、背負い鞄の背当て部４の上部に取り付けられた上端取付具８の一対の肩ベルト３との連結部付近と、背負い鞄の上面部７の背当て部４上端との連結部付近との間が被われるので、上端取付具８には使用者の長い髪の毛が垂れかからないようになり、その長い髪の毛が上端取付具８に引っ掛かったり、絡んだり、挟まったりしなくなり、背負い鞄を下ろしたときに、使用者の髪の毛が抜けることなく、使用者に痛い思いをさせることがないものとなる。
【図面の簡単な説明】
【００３３】
【図１】この発明の背負い鞄の上部カバーを装着したランドセルの背当て部側から見た斜視図である。
【図２】この発明の背負い鞄の上部カバーを装着したランドセルの被せ蓋側から見た斜視図である。
【図３】この発明の背負い鞄の上部カバーの平面斜視図である。
【図４】この発明の背負い鞄の上部カバーの底面斜視図である。
【図５】この発明の背負い鞄の上部カバーを装着する前の背負い鞄の上部の説明図である。
【図６】この発明の背負い鞄の上部カバーを背負い鞄の上部に装着する途中の状態を示す説明図である。
【図７】この発明の背負い鞄の上部カバーを背負い鞄の上部に装着し終わった状態を示す説明図である。
【図８】この発明の背負い鞄の上部カバーを背負い鞄の上部に装着し終わった状態を示す要部断面図である。
【図９】従来の肩ベルト上端取付具を装着した背負い鞄を背当て部側から見た一部省略斜視図である。
【図１０】従来の肩ベルト上端取付具を背面側から見た部分断面図である。
【符号の説明】
【００３４】
３  肩ベルト
４  背当て部
７  上部
８  取付具
１２  カバー体
１２ａ  短辺
１２ｂ  長辺
１３  取付手段
１５  弾性体
１６  止め手段
１７  折返し体
１８  係着体
【図１】
2007222446.tif 000003
【図２】
2007222446.tif 000004
【図３】
2007222446.tif 000005
【図４】
2007222446.tif 000006
【図５】
2007222446.tif 000007
【図６】
2007222446.tif 000008
【図７】
2007222446.tif 000009
【図８】
2007222446.tif 000010
【図９】
2007222446.tif 000011
【図１０】
2007222446.tif 000012